(57)【要約】【課題】電気回路が筐体内に収容され、建物の壁に固定される取り付け板に取り付けられる電気機器において、配線口を覆う配線カバーによって防水効果を得ることができる構成を提供する。【解決手段】筐体の背壁に配線が通る配線口が形成され、前記配線口を形成する縁部から後方へ延びる配線カバーを備え、前記配線カバーは、前記配線口の周縁部に取り付けられる第１配線カバー部と、前記取り付け板に取り付けられる第２配線カバー部とからなり、取り付け板に前記筐体が配置された状態で、前記第１配線カバー部と前記第２配線カバー部とにより配線通路が形成されること。【選択図】図４
2018174613.tif 000002
【特許請求の範囲】
【請求項１】
電気回路が筐体内に収容され、建物の壁に固定される取り付け板に取り付けられる電気機
器において、
前記筐体の背壁に配線が通る配線口が形成され、
前記配線口を形成する縁部から後方へ延びる配線カバーを備え、
前記配線カバーは、前記配線口の周縁部に取り付けられる第１配線カバー部と、前記取り
付け板に取り付けられる第２配線カバー部とからなり、
前記取り付け板に前記筐体が配置された状態で、前記第１配線カバー部と前記第２配線カ
バー部とにより配線通路が形成される、
ことを特徴する電気機器。
【請求項２】
前記第１配線カバー部の後端部が前記第２配線カバー部の前端部の上に重なる、
ことを特徴する請求項１に記載の電気機器。
【請求項３】
前記第２配線カバー部には、外面に形成された前フランジと前記前フランジよりも前記取
り付け板側であり且つ外面に形成された後フランジとにより排水溝が形成されている、
ことを特徴する請求項１または請求項２に記載の電気機器。
【請求項４】
前記排水溝の前側において、前記第２配線カバー部の前部が前記第１配線カバー部の上部
及び左右部と防水シール材を介して連接される、
ことを特徴する請求項３に記載の電気機器。
【請求項５】
前記電気回路は、直流電力を商用電力系統と同期した所定の交流電力に変換する回路であ
る、
ことを特徴する請求項１乃至請求項４のいずれかに記載の電気機器。
【発明の詳細な説明】
【技術分野】
【０００１】
本発明は、建物の壁に取り付けられる電気機器に関する。
【背景技術】
【０００２】
建物の壁の外面に取り付けられる電気機器の一つとして、太陽光発電システム用の電力変
換装置（パワーコンディショナと称する）がある。
パワーコンディショナは、その筐体内に、太陽電池が発電する直流電力を入力として昇圧
回路で昇圧し、商用電力系統と同期した所定の交流電力にインバータ回路で変換し、この
変換された交流電力を商用電力系統へ重畳可能とする電力変換回路を収容している。
【０００３】
このようなパワーコンディショナの壁への取り付けは、取り付けが容易な方法として、建
物の壁に固定した取り付け板の上端部に、パワーコンディショナの筐体の背面を係止し、
吊り下げ状態に支持する取り付け構造が採用される（特許文献１）。
【先行技術文献】
【特許文献】
【０００４】
【特許文献１】特開２０１２−２３１６４３号公報
【発明の概要】
【発明が解決しようとする課題】
【０００５】
建物の壁の外面に取り付けられるパワーコンディショナは、外部装置と電気的に接続され
る配線の配線作業や雨水の侵入防止対策として、外部装置との間の配線が接続される端子
部が、パワーコンディショナの筐体内の前面側の右下領域か左下領域に配置される。
【０００６】
パワーコンディショナと他の電気機器や電気装置（これらを外部装置という）と電気的に
接続される場合、外部装置が、パワーコンディショナに隣接して建物の壁の外面に取り付
けられる場合は、パワーコンディショナと外部装置との間に配設される配線は、パワーコ
ンディショナの筐体の下壁に貫通形成した外側配線孔を通して下方へ引き出される態様で
外部装置との間に配線される。
また、外部装置が、建物の壁の内側面か建物内の室内に取り付けられる場合は、前記端子
部が配置された右下領域か左下領域に対応してパワーコンディショナの筐体の背壁に配線
口が形成され、この配線口に対応して建物の壁に内側配線孔が貫通形成され、この内側配
線孔を通してパワーコンディショナと外部装置との間の電気配線が行われる。
【０００７】
このような配線が行われる場合、前者の態様の場合は、配線が下方へ引き出されるため、
外側配線孔と配線との隙間をパテで塞ぐことにより、外側配線孔からパワーコンディショ
ナの筐体内への雨水の侵入は抑制される。
一方、後者の態様の場合は、前記配線口と前記内側配線孔への雨水の侵入を防止するため
に、配線口を覆う配線カバーが筐体の背壁に前記内側配線孔へ向けて延びる長さを有する
形態となる。
この場合、特許文献１のように、建物の壁に固定用ネジで固定した取り付け板の上端部に
、パワーコンディショナの筐体の背面を係止し、吊り下げ状態に支持する取り付け構造と
する場合、この取り付け作業において配線カバーの後端部が取り付け板に当接または近接
する正規の状態となることが望ましい。
【０００８】
しかし、取り付け板を建物の壁に固定用ネジにて取り付けており、上記の取り付け構造に
おいて、配線カバーの後端部が取り付け板から突出している固定用ネジの頭やその他の部
分に衝突して、取り付け板へのパワーコンディショナの正規の取り付けができなくなり、
それによって生じる隙間から雨水が侵入することが懸念される。
【０００９】
本発明は、このような点に鑑み、取り付け板にパワーコンディショナを取り付けた形態に
おいて、配線口を覆う配線カバーによって防水効果を得ることができる構成を提供する。
更に、本発明は、パワーコンディショナに限らず、電気回路が筐体内に収容され、建物の
壁に固定される取り付け板に前記筐体を取り付ける電気機器に係る技術を提供する。
【課題を解決するための手段】
【００１０】
本発明は、電気回路が筐体内に収容され、建物の壁に固定される取り付け板に取り付けら
れる電気機器において、
前記筐体の背壁に配線が通る配線口が形成され、
前記配線口を形成する縁部から後方へ延びる配線カバーを備え、
前記配線カバーは、前記配線口の周縁部に取り付けられる第１配線カバー部と、前記取り
付け板に取り付けられる第２配線カバー部とからなり、
前記取り付け板に前記筐体が配置された状態で、前記第１配線カバー部と前記第２配線カ
バー部とにより配線通路が形成される、
ことを特徴する。
【発明の効果】
【００１１】
本発明によれば、取り付け板にパワーコンディショナを取り付ける形態において、配線口
を覆う配線カバーによって防水効果を得ることができる構成を提供することができる。
【図面の簡単な説明】
【００１２】
【図１】本発明の実施形態に係る電力変換装置の正面斜視図である。
【図２】本発明の実施形態に係る電力変換装置の蓋体を開けたときの本体内の各部の配置を示す説明用正面図である。
【図３】本発明の実施形態に係る電力変換装置の背面斜視図である。
【図４】本発明の実施形態に係る電力変換装置の第１配線カバー部と第２配線カバー部の関係を示す断面図である。
【図５】本発明の実施形態に係る電力変換装置の第１配線カバー部の背面斜視図である。
【図６】本発明の実施形態に係る電力変換装置の第２配線カバー部の正面斜視図である。
【図７】本発明の実施形態に係る電力変換装置と取り付け板との関係を説明する背面斜視図である。
【図８】本発明の実施形態に係る電力変換装置の筐体の支持用取り付け板が建物の壁に固定された状態の断面図である。
【図９】本発明の実施形態に係る電力変換装置に係る発電配線システムの概略図である。
【発明を実施するための形態】
【００１３】
以下、本発明の実施形態の一つとして、太陽光などの再生可能エネルギーから得られる直
流電力を商用電力系統と同期した所定の交流電力に変換する電力変換回路が筐体内に収容
され、建物の壁に固定される取り付け板に形成した筐体係止部に前記筐体を引っ掛け係止
する電力変換装置について、図に基づき説明する。
【００１４】
図１及び図２に示すように、本発明の一実施形態に係る電力変換装置１は、再生可能エ
ネルギーから得られる直流電力を商用電力系統ＧＲＩＤへ重畳可能な交流に変換する電力
変換回路ＩＮＶを構成する電気部品が筐体２内に収容されている。筐体２は、金属製の本
体３と金属製の蓋体４によって構成し、本体３は、鋼板の一方の面がカラー塗装されたカ
ラー鋼板で構成され、カラー塗装された面を外側として、背壁３Ｅの周縁端部に上壁３Ａ
、下壁３Ｂ、左壁３Ｃ、右壁３Ｄで形成する周囲壁３Ｓで囲まれた前面開口３Ｆを有する
矩形状の箱を構成する。蓋体４は、鋼板の一方の面がカラー塗装されたカラー鋼板で構成
され、カラー塗装された面を外側とし、本体３の前面開口３Ｆを塞ぐように取り付けネジ
によって本体３に着脱自在に取り付ける。本体３と蓋体４との間は、周囲壁３Ｓを巡るよ
うに取り付けたパッキン５で液密状態に保たれる。
【００１５】
図９は、再生可能エネルギーの発電部として太陽電池ＰＶを採用する場合の電力変換装
置１において、太陽電池ＰＶがＰＶ１〜ＰＶ４の４系統である場合の単相二線式の電力変
換回路ＩＮＶの概略図である。
電力変換回路ＩＮＶの一つの系統である太陽電池ＰＶ１の第１系統の回路を例に挙げて
、太陽電池の出力する直流電力を交流電力に変換する構成について説明する。
【００１６】
太陽電池ＰＶ１で発電した直流電力は、開閉器ＳＷ及びノイズフィルタ回路ＮＦ１を経て
昇圧回路ＢＳに供給される。昇圧回路ＢＳは、直流用リアクトルＤＣＬ、スイッチング素
子Ｓ１、ダイオードＤＤ、コンデンサＣＤからなるチョッパ回路により構成され、スイッ
チング素子Ｓ１を所定の周波数でＯＮ／ＯＦＦすることにより、入力された直流電力の電
圧を所定の電圧に昇圧する。昇圧回路ＢＳで昇圧した電力をインバータ回路ＤＡへ出力す
る。
【００１７】
インバータ回路ＤＡは、複数のスイッチング素子Ｓ２をフルブリッジ接続した回路であり
、これらのスイッチング素子Ｓ２をＰＷＭ制御により周期的にＯＮ／ＯＦＦすることによ
り、直流電力を商用電力系統ＧＲＩＤの周波数に同期する疑似正弦波の交流電力に変換す
る。この変換された交流電力は、交流リアクトルＡＣＬ及びコンデンサＣＡからなるノイ
ズフィルタ回路ＮＦ２にて高周波成分を減衰させる。高周波成分が減衰された交流電力は
、リレー接点ＲＹを介して商用電力系統ＧＲＩＤへ重畳される。
【００１８】
制御回路ＰＣは、マイコン等からなり、昇圧回路ＢＳのスイッチング素子Ｓ１やインバー
タ回路ＤＡのスイッチング素子Ｓ２のＯＮ／ＯＦＦ動作の制御を行う。
【００１９】
図９に示すように、太陽電池ＰＶ２の第２系統、太陽電池ＰＶ３の第３系統、及び太陽
電池ＰＶ４の第４系統も、上記の太陽電池ＰＶ１の第１系統と同様の回路構成であり、直
流・交流変換回路ＤＡ以降の回路が共通となるように、直流・交流変換回路ＤＡの入力に
前記第２系統、第３系統、及び第４系統が並列接続される構成である。
【００２０】
建物内の電気負荷６は、商用電力系統ＧＲＩＤと電力変換装置１で作られた電力のいず
れかで稼働する仕組みであり、その詳細は省略している。
昇圧回路ＢＳ、直流・交流変換回路ＤＡ及びリレー接点ＲＹは、制御回路ＰＣによって動
作が制御される構成である。
なお、上記発電配線システムにおいて、商用電力系統ＧＲＩＤが単相三線式（ＵＯＷ）の
場合は、直流・交流変換回路ＤＡ以降の回路を単相三線式（ＵＯＷ）とすることにて対応
できる。
【００２１】
本体３内には電力変換装置１の電力変換回路ＩＮＶが収容されており、図２は蓋体４を
取り外した状態の本体３の周囲壁３Ｓの内側に電気回路部品の配置状態を示す正面図であ
り、本体３内に収容している電力変換回路ＩＮＶが、太陽電池ＰＶ１〜ＰＶ４の４系統の
場合の電気回路部品で構成されたものである。
図２において、本体３内の左隅の領域は太陽電池ＰＶ１〜ＰＶ４からの直流入力の配線
領域３Ｑであり、本体３内の右隅の領域は電力変換回路ＩＮＶから出力される交流出力の
配線領域３Ｒである。
【００２２】
配線領域３Ｑには、上部に、直流入力ラインの接続端子部８を設けている。接続端子部
８は、太陽電池ＰＶ１〜ＰＶ４の４系統にそれぞれ対応する４個の直流入力ラインの接続
端子部８Ａ〜８Ｄを備えており、本体３の下壁に貫通形成した直流入力ライン導入孔に取
り付けた案内パイプ７Ａ、７Ｂを通して配線される。
配線領域３Ｑの上方に配置した第１基板ＰＣ１には、主として、電力変換回路ＩＮＶの入
力側の電気回路部品が取り付けられている。
【００２３】
配線領域３Ｒには、上部に、電力変換装置１と外部装置（商用電力系統ＧＲＩＤや電気
負荷６等）と電気的に接続される配線の接続端子部１０が配置されている。配線領域３Ｒ
には、更に本体３の下壁に、接続端子部１０から外部装置（商用電力系統ＧＲＩＤや電気
負荷６等）へ配線される交流出力ラインの導出孔に取り付けた案内パイプ９Ａ〜９Ｃ、及
び商用電力系統ＧＲＩＤの停電時に電力変換回路ＩＮＶの予備電源となる蓄電池（図示せ
ず）からの電力供給ラインが配線される直流入力力ライン導入孔に取り付けた案内パイプ
９Ｄが設けられ、更に本体３の下壁には、制御ライン導入孔に取り付けた案内パイプ９Ｅ
が設けられている。
【００２４】
配線領域３Ｒの上方に配置した第２基板ＰＣ２には、主として、電力変換回路ＩＮＶの
出力側の電気回路部品が取り付けられている。
第１基板ＰＣ１と第２基板ＰＣ２との間の領域に第３基板ＰＣ３が配置されている。第３
基板ＰＣ３には、主として、昇圧回路ＢＳ及びインバータ回路ＤＡの電気回路部品が配置
される。このため第３基板ＰＣ３の裏側には、太陽電池ＰＶ１〜ＰＶ４の４系統にそれぞ
れ対応する昇圧回路ＢＳのスイッチング素子Ｓ１、インバータ回路ＤＡのスイッチング素
子Ｓ２、及びその他の電気回路部品が配置され、第３基板ＰＣ３の表側に、昇圧回路ＢＳ
のコンデンサＣＤ等が配置される。
【００２５】
電力変換回路ＩＮＶは、直流電力を交流電力に変換する際に発熱する発熱部品を有する
。この発熱部品の代表的なものがスイッチング素子Ｓ１及びＳ２である。これら部品は発
熱して高温となるため、その発熱を放散するために、アルミニウム等の熱伝導良好なヒー
トシンク１４に取り付けられる。ヒートシンク１４は、第３基板ＰＣ３に対応して本体３
の背壁３Ｅに取り付けられる。ヒートシンク１４は、平板状の基板部１４Ａとこの基板部
１４Ａから左右方向に並列に配置された複数の放熱フィン１４Ｂを有し、本体３の背壁３
Ｅに形成した開口を塞ぐように本体３の背壁３Ｅの外面に基板部１４Ａが取り付けられ、
放熱フィン１４Ｂが後方へ突出し、放熱フィン１４Ｂ間に上下方向の複数の空気通路を形
成する。前記発熱部品は、背壁３Ｅに形成した開口を通して基板部１４Ａの前面に熱伝導
的に配置される。
【００２６】
また、直流用リアクトルＤＣＬと交流用リアクトルＡＣＬも発熱する。この発熱を放散
するために、図３（ａ）、図３（ｂ）、図３（ｃ）に示すように、放熱フィン１４Ｂの左
右両側にそれぞれ複数の放熱フィン１５ＡＦ、１５ＢＦを有する放熱部凹部１５Ａ、１５
Ｂが背壁３Ｅから後方へ突出するように形成されている。放熱部凹部１５Ａには交流用リ
アクトルＡＣＬが収容され、放熱部凹部１５Ｂには直流用リアクトルＤＣＬが配置され、
それぞれ必要に応じて伝熱用のポッチング材に一部分が浸される状態である。
なお、直流用リアクトルＤＣＬと交流用リアクトルＡＣＬの放熱は、他の構成でもよい。
【００２７】
図１、図３（ａ）、図３（ｂ）、図３（ｃ）に示すように、放熱フィン１４Ｂ、放熱フィ
ン１５ＡＦ、１５ＢＦ、及び配線カバー１６を上下左右から取り囲むように、筐体２に周
囲カバー２０を備える。尚、図３（ｂ）は、電力変換装置の下部カバー部を取り外した状
態の背面斜視図であり、図３（ｃ）は、図３（ｂ）において第２配線カバー部を第１配線
カバー部から取り外した状態の背面斜視図である。周囲カバー２０は、上部カバー部２０
Ａと下部カバー部２０Ｂとからなり、上部カバー部２０Ａの上壁は、放熱フィン１４Ｂの
左右両側に位置するヒートシンク１４の側壁部１４Ｔの上端部に取り付けたＬ字状金具Ｋ
１の上辺にネジ止めＮＪ１され、下部カバー部２０Ｂの下壁は、側壁部１４Ｔの下端部に
取り付けたＬ字状金具Ｋ２の下辺にネジ止めされ、上部カバー部２０Ａと下部カバー部２
０Ｂはそれぞれの左右壁が重合状態でネジ止めＮＪ３される。
周囲カバー２０の前端部と周囲壁３Ｓの後端部との連接部分は、雨水が侵入し難い構成が
好ましい。放熱フィン１４Ｂ及び放熱フィン１５ＡＦ、１５ＢＦへの空気流通が行われる
ように、周囲カバー２０の上下左右壁には、図示のように前後方向に長い多数の通風孔２
１が形成されている。
【００２８】
筐体２は、建物の略垂直な壁Ｋの外側面に固定する取り付け板２２に引っ掛け方式で取
り付ける。以下、この取り付け構造について説明する。
図７及び図８に示すように、取り付け板２２は、鋼板の一方の面がカラー塗装されたカ
ラー鋼板で構成され、正面視で筐体２からはみ出ないように、筐体２の背面に収まる大き
さであって、筐体２が横長矩形状である場合、それに合わせるように横長矩形状をなす。
取り付け板２２は、建物の壁Ｋの外側面に取り付け孔２３を通してネジ２４にて複数個所
で取り付ける。その取り付け状態において、取り付け板２２の上端部には、壁Ｋとの間に
所定間隔Ｓで左右及び上方に開いた係止溝２２Ｍを形成するように筐体係止部２２Ａを屈
曲形成する。筐体係止部２２Ａは、上端部が前方へ少し屈曲し、壁Ｋとの間に略均一な前
後の隙間Ｓの係止溝２２Ｍが左右方向に略水平に延びる状態である。
取り付け板２２の塗装されない面は導電性を有するため、アース接続することにより、
電力変換装置１から取り付け板２２へ漏電した時の感電の回避を図る。
【００２９】
一方、筐体２は、図３（ａ）、図３（ｂ）、図３（ｃ）、図７に示すように、取り付け
板２２の筐体係止部２２Ａに係止するために、筐体２の背面側の上部において左右間の中
央部に位置するように、水平方向の係止受け部２５を備える。係止受け部２５は、略平坦
な板の左右端部に前方へ屈曲した取り付け部を有し、この取り付け部を、ヒートシンク１
４の左右両側に一体形成された側面壁１４Ｔの上部にネジ止めＮＪ４する。これによって
、係止受け部２５は、放熱フィン１４Ｂの後端部との間に、筐体係止部２２Ａが進入でき
る隙間が形成される。
【００３０】
図８に示すように建物の壁Ｋに固定した取り付け板２２に対し、筐体２の係止受け部２
５を係止溝２２Ｍの上方から筐体係止部２２Ａに引っ掛け係止する。このため、隙間Ｓは
、係止受け部２５の厚さと同等もしくは若干大きな寸法でもって、左右方向に均一な隙間
Ｓを形成している。筐体係止部２２Ａの上端２２Ａ１は、係止受け部２５の挿入時のガイ
ド作用と補強のために、前方へ屈曲している。
【００３１】
図２及び図４に示すように、電力変換装置１の電力を建物内に設置した外部装置（商用電
力系統ＧＲＩＤの配電盤や電気負荷６等）に接続するために、配線領域３Ｒに対応する本
体３の背壁３Ｅには、接続端子部１０よりも外側に寄った筐体２内の隅部に、接続端子部
１０から配線される交流出力ラインの配線口１１が形成されている。また、外部装置との
配線のために、配線口１１に対応してその後方の建物の壁Ｋに屋内配線用開口が貫通形成
される。その場合、図４及び図７に示すように、この屋内配線用開口に対応して取り付け
板２２に配線用窓２７が切り欠きまたは孔として形成される。
【００３２】
図２乃至図７に示すように、本発明では、配線口１１に連接して後方へ延びる配線カバ
ー１６を設けている。配線カバー１６は、配線口１１の周縁部に取り付けられる第１配線
カバー部１６Ａと、第１配線カバー部１６Ａの後端部に連結される第２配線カバー部１６
Ｂとから構成される。第１配線カバー部１６Ａと第２配線カバー部１６Ｂは合成樹脂製で
ある。
【００３３】
第１配線カバー部１６Ａは、周縁部１６Ａ２が配線口１１の周縁部にネジＮＪ５で取り付
けられ、配線口１１と連通する開口１７を有する。開口１７は、接続端子部１０への配線
のし易さから上方へ向けて開いている。具体的には、第１配線カバー部１６Ａの周縁部１
６Ａ２には、配線口１１の下端部を通って背壁３Ｅの前上方へ斜めに延びる前面カバー部
１６Ａ１が形成され、この前面カバー部１６Ａ１にて配線口１１の前面側が覆われ、配線
口１１の前面側において実質的な配線口となる上向き状態の開口１７を形成している。こ
のため、開口１７は配線口１１と連通し、背壁３Ｅの前側で接続端子部１０よりも下位置
にて上方へ開口する状態である。
【００３４】
第２配線カバー部１６Ｂは、上下左右の壁を有するトンネル形状の配線通路ＴＮを形成す
る形状であってもよいが、配線をし易くするために、第２配線カバー部１６Ｂは、第１配
線カバー部１６Ａの周縁部１６Ａ２と連結される上壁１６Ｂ１及び左右壁１６Ｂ２を有し
、トンネル形状の配線通路ＴＮを形成するように下方に開口１６Ｋを有する門型をなす。
【００３５】
第２配線カバー部１６Ｂは、取り付け板２２の所定位置、即ち、取り付け板２２に形成し
た配線用窓２７の縁部に沿って取り付けられる。この取り付けのために、取り付け板２２
に形成した配線用窓２７の上縁に略９０°で前方へ屈曲した水平状態の支持辺２２Ｋを有
し、この支持辺２２Ｋが第２配線カバー部１６Ｂ内へ進入する関係にて第２配線カバー部
１６Ｂの上壁１６Ｂ１を支持する状態で、ネジＮＪ６にて支持辺２２Ｋに取り付けられる
。
このため、第２配線カバー部１６Ｂが取り付け板２２の所定位置に取り付けられた状態で
、第２配線カバー部１６Ｂを外れた箇所で、取り付けるネジ２４によって取り付け板２２
を建物の壁Ｋの外側面に取り付けることができるため、取り付け板２２への第２配線カバ
ー部１６Ｂの取り付けにおいて、ネジ２４の頭部等が邪魔になることがない。
【００３６】
第１配線カバー部１６Ａには、周縁部１６Ａ２の上辺及び左右辺の端部から後方へ延びる
フランジ１６ＦＲが形成されており、建物の壁Ｋに固定した取り付け板２２に引っ掛けに
て取り付けた状態で、フランジ１６ＦＲの先端部（第１配線カバー部１６Ａの後端部）が
第２配線カバー部１６Ｂの前端部に重なるようになっている。
【００３７】
このように、フランジ１６ＦＲの先端部が第２配線カバー部１６Ｂの前端部へ重なると、
配線カバー１６内にトンネル形状の配線通路ＴＮが形成される。この配線通路ＴＮへ雨水
が侵入しないようにするために、第２配線カバー部１６Ｂの上壁１６Ｂ１及び左右壁１６
Ｂ２の前部と後部の外面に、並行形成された筐体２側の前フランジ１６ＦＦと取り付け板
２２側の後フランジ１６ＦＷを有する。この前フランジ１６ＦＦと後フランジ１６ＦＷに
よって、第２配線カバー部１６Ｂの外面に排水溝３１が形成されるため、この排水溝３１
によって第２配線カバー部１６Ｂに降りかかる雨水は、第２配線カバー部１６Ｂの外面を
伝って流下し、配線通路ＴＮ内への侵入が防止される。
【００３８】
また、図４及び図６に示すように、前フランジ１６ＦＦの前側には前フランジ１６ＦＦと
並行に前端フランジ１６ＦＳが形成されており、前フランジ１６ＦＦと前端フランジ１６
ＦＳとの間に形成される溝１８に防水パッキン３０を取り付ける。この防水パッキン３０
は、第１配線カバー部１６Ａのフランジ１６ＦＲの先端部が第２配線カバー部１６Ｂの前
端部に重なったとき、第１配線カバー部１６Ａのフランジ１６ＦＲの内面に当接する。こ
のため、第１配線カバー部１６Ａの後端部と第２配線カバー部１６Ｂの前端部が重なり合
う部分は防水構造となる。
【００３９】
筐体２を建物の壁Ｋに固定した取り付け板２２に引っ掛けにて取り付ける操作に先立って
、上部カバー部２０Ａと下部カバー部２０Ｂは取り付けない状態か、上部カバー部２０Ａ
は筐体２に取り付けた状態でもよいが、図３（ｂ）、図３（ｃ）、及び図７に示すように
、少なくとも下部カバー部２０Ｂは取り付けない状態とする。上記のように、配線口１１
の周縁部に第１配線カバー部１６Ａが取り付けられ、取り付け板２２に第２配線カバー部
１６Ｂが取り付けられた状態で、建物の壁Ｋに固定した取り付け板２２に対し、筐体２の
係止受け部２５を隙間Ｓの上方から筐体係止部２２Ａに引っ掛け係止する。
【００４０】
この引っ掛け操作において、第１配線カバー部１６Ａの上方から第２配線カバー部１６Ｂ
が近づき、第２配線カバー部１６Ｂの前端部が第１配線カバー部１６Ａの後端部の内側へ
進入する状態で最終位置へ移動し、取り付け板２２への電力変換装置１の正規の取り付け
が行われる。この状態で、第１配線カバー部１６Ａのフランジ１６ＦＲの先端部が第２配
線カバー部１６Ｂの前端部に重なる状態となる。そして、防水パッキン３０が第１配線カ
バー部１６Ａのフランジ１６ＦＲの先端部と第２配線カバー部１６Ｂの前端部とに接触し
て、この部分を防水状態となる。
【００４１】
すると、トンネル形状の配線通路ＴＮが配線用窓２７と連通するようになり、配線用窓２
７を介して配線通路ＴＮが建物の壁Ｋに形成した屋内配線用開口と連通状態となる。
なお、第２配線カバー部１６Ｂの後端部と配線用窓２７の周縁部、及び第２配線カバー部
１６Ｂの後端部と建物の壁Ｋとの間に防水パッキンを介在させれば、トンネル形状の配線
通路ＴＮへの雨水の流入が防止できる。
【００４２】
このような取り付けが終わった段階で、図４に示すように、取り付け板２２の下端部に設
けた取り付けフランジ２２ＦがＬ字状金具Ｋ２の下辺の下側に位置し、この状態で本体３
と取り付け板２２の間に下部カバー部２０Ｂを挿入し、下部カバー部２０Ｂの下壁の下方
からＬ字状金具Ｋ２の下辺にネジＮＪ７を締め付ける。これによって、電力変換装置１は
、上部が取り付け板２２の上部に引っ掛け係止され、下部が固定される。また上部カバー
部２０Ａと下部カバー部２０Ｂの左右壁を重合状態でネジ止めする。これによって、周囲
カバー２０が本体３と建物の壁Ｋとの間隔を覆う状態となり、周囲カバー２０の後端部が
建物の壁Ｋに近接または当接する関係となる。
そして、第２配線カバー部１６Ｂの下側開口１６Ｋは下部カバー部２０Ｂの下壁によって
覆われ、雨水の侵入抑制効果が得られる。更に雨水侵入を確実にするためには、左右壁１
６Ｂ２と下部カバー部２０Ｂの下壁との間に防水パッキンを介在させるか、または、第２
配線カバー部１６Ｂの下側開口１６Ｋを塞ぐように左右壁１６Ｂ２に渡る閉塞板を図６に
二点鎖線で示すように、取り付けることも可能である。
【００４３】
本発明によって、電力変換装置１と電気的に接続される外部装置が、電力変換装置１に隣
接して建物の壁の外面に取り付けられる場合は、電力変換装置１と外部装置との間に配設
される配線は、本体３の下壁に取り付けた案内パイプ９Ａ〜９Ｃを通って配線され、案内
パイプ９Ａ〜９Ｃから上方へ延びる配線の一端が、配線口１１の上部に設けた接続端子部
１０に接続され、案内パイプ９Ａ〜９Ｃから下方へ延びる配線の他端は、外部装置の端子
部へ接続される。案内パイプ９Ａ〜９Ｃの配線が通る部分の隙間は、パテ等で塞ぐことに
より筐体２内への雨水の侵入は抑制される。案内パイプ９Ｄ、９Ｅの部分も同様である。
【００４４】
また、外部装置が、建物の内部に設置される場合は、上記のように、接続端子部１０が配
置された領域に対応して筐体２の背壁に配線口１１が形成され、この配線口１１に対応し
て建物の壁Ｋに屋内配線用開口が形成され、この屋内配線用開口に対応して取り付け板２
２に配線用窓２７が切り欠きまたは孔として形成される。この屋内配線用開口及び配線用
窓２７を通して外部装置との間の電気配線が行われる。
この場合、配線口１１と前記屋内配線用開口への雨水の侵入を防止するために、上記のよ
うに配線カバー１６が筐体２と取り付け板２２との間に取り付けられる。この配線カバー
１６のうち、配線口１１の周縁部に取る付ける第１配線カバー部１６Ａは、配線口１１と
連通し、筐体２の背壁３Ｅの前側において上向き状態に開く開口１７を有する。また、第
２配線カバー部１６Ｂは、取り付け板２２に形成した配線用窓２７の縁部に沿って取り付
けられる。
【００４５】
このため、建物の壁Ｋを貫通する屋内配線用開口を通る配線は、第１配線カバー部１６Ａ
の上向き状態の開口１７を通して接続端子部１０へ行うことができ、接続端子部１０への
配線がし易く、且つ、第２配線カバー部１６Ｂによって配線口１１への雨水の侵入が抑制
され、建物の壁Ｋに貫通形成した屋内配線用開口を雨水の侵入から守ることができる。
配線作業において、壁Ｋに取り付け板２２を固定する前、または建物の壁Ｋに形成した屋
内配線用開口に配線用窓２７が対応するよう壁Ｋに取り付け板２２を固定した状態、また
は壁Ｋに固定した取り付け板２２に筐体２を引っ掛け支持した状態、のいずれにおいても
よいが、建物の内部に設置される外部装置から延びる電気配線の一端が、建物の壁Ｋを貫
通する屋内配線用開口を通り壁Ｋの外側へ垂れる状態とする。そして、壁Ｋに固定した取
り付け板２２に筐体２を引っ掛け支持する。これは筐体２の最終固定状態ではない。この
状態において、壁Ｋの外側へ垂れた電気配線の一端を第２配線カバー部１６Ｂの下側開口
１６Ｋを通り、第１配線カバー部１６Ａの上向き状態の開口１７を通して接続端子部１０
へ接続した後、配線の弛み等を調整する。これによって、電力変換装置１と外部装置との
電気的接続が達成される。
このようにして配線を行った後、上記のように、下部カバー部２０Ｂを挿入し、下部カバ
ー部２０Ｂの下壁の下方からＬ字状金具Ｋ２の下辺にネジＮＪ７を締め付け、電力変換装
置１を最終固定状態とする。
【００４６】
配線口１１の周縁部から後方へ延びる配線カバー１６は、配線口１１の周縁部に取り付け
られる第１配線カバー部１６Ａと、取り付け板２２に取り付けられ第１配線カバー部１６
Ａに連結される第２配線カバー部１６Ｂとからなるため、放熱フィン１４Ｂの後方への突
出長さ等が異なる機器においても、第２配線カバー部１６Ｂの長さがそれに適合するもの
を用意すれば、それに容易に適用できることとなる。
【００４７】
また、周囲カバー２０を備えない場合には、第２配線カバー部１６Ｂが上下・左右の壁
を有するトンネル形状であれば、配線口１１及び建物に貫通形成した屋内配線用開口への
雨水の侵入を抑制できるものとなる。
【００４８】
上記において、接続端子部８及び１０の配置、第１基板ＰＣ１及び第２基板ＰＣ２の配
置は、左右入れ替えた状態でもよく、またこれに限らず、筐体２内の電気回路部品の配置
は、上記に限定されない。
【００４９】
上記の実施形態は、太陽光などの再生可能エネルギーから得られる直流電力を商用電力
系統と同期した所定の交流電力に変換する電力変換回路が筐体内に収容された電力変換装
置について説明したが、他の壁設置型電気機器においても同様の効果を奏することができ
る。
即ち、電気部品を有する電気回路が筐体内に収容された壁設置型電気機器において、建
物の壁Ｋに固定される取り付け板２２に形成した筐体係止部２２Ａに、前記筐体２を引っ
掛け係止する形態であれば、上記同様の作用を達成し、同様の効果を奏することができる
。
【符号の説明】
【００５０】
１・・・・・電力変換装置
２・・・・・筐体
３・・・・・本体
３Ｅ・・・・本体の背壁
４・・・・・蓋体
５・・・・・パッキン
１１・・・・配線口
１６・・・・配線カバー
１６Ａ・・・第１配線カバー部
１６Ｂ・・・第２配線カバー部
１６Ｋ・・・下側開口
１７・・・・上向き開口
２２・・・・取り付け板
２２Ａ・・・筐体係止部
２５・・・・係止受け部
ＴＮ・・・・トンネル状の配線通路
３０・・・・防水パッキン
３１・・・・排水溝
【図１】
2018174613.tif 000003
【図２】
2018174613.tif 000004
【図３】
2018174613.tif 000005
【図４】
2018174613.tif 000006
【図５】
2018174613.tif 000007
【図６】
2018174613.tif 000008
【図７】
2018174613.tif 000009
【図８】
2018174613.tif 000010
【図９】
2018174613.tif 000011